(57)【特許請求の範囲】
【請求項１】
電極およびリード（７）を有する放電管（３）と、この放電管（３）が固定された放電管支持体（５）と、ケース（１３）、接続接触片（１４）、および安定器装置（１６）を有する取付け板（１５）から構成された口金（１２）とを備え、安定器装置（１６）を有する取付け板（１５）が、口金ケース（１３）の内部に取付けられ、取付け板（１５）をリード（７）および接続接触片（１４）に電気的に接続するための接続部を有し、
放電管支持体（５）がほぼＨ形断面を有し、板（４）とこの板（４）の縁部において板（４）の両面側へ延びるカラー（９，１８）とから構成され、
Ｈ形の放電管支持体（５）にカバー部材が固定され、このカバー部材がその外被面の内側に少なくとも部分的に周回する溝（１１）を有し、この溝（１１）内に、Ｈ形の放電管支持体（５）にカバー部材を固定するために、板（４）のカバー部材側のカラー（９）に形成されたフック部（１０）が食い込み、
Ｈ形の放電管支持体（５）に口金（１２）のケース（１３）が固定されている
ことを特徴とするコンパクト形低圧放電ランプ。
【請求項２】
カバー部材が放電管（３）に対する外管（２）として形成されていることを特徴とする請求項１記載のコンパクト形低圧放電ランプ。
【請求項３】
カバー部材が放電管（３）に対する反射器（２３）として形成されていることを特徴とする請求項１記載のコンパクト形低圧放電ランプ。
【請求項４】
カバー部材が口金ケース（１３）に対する閉鎖キャップ（２４）として形成されていることを特徴とする請求項１記載のコンパクト形低圧放電ランプ。
【請求項５】
Ｈ形の放電管支持体（５）の板（４）が円形であることを特徴とする請求項１記載のコンパクト形低圧放電ランプ。
【請求項６】
Ｈ形の放電管支持体（５）の板（４）が放電管（３）の端部を収容するための穴を有することを特徴とする請求項１記載のコンパクト形低圧放電ランプ。
【請求項７】
Ｈ形の放電管支持体（５）の板（４）が放電管（３）の端部を収容するための半殻状窪みを有することを特徴とする請求項１記載のコンパクト形低圧放電ランプ。
【請求項８】
Ｈ形の放電管支持体（５）の板（４）が放電管（３）の一部を固定するための少なくとも１つの凹部を有することを特徴とする請求項１記載のコンパクト形低圧放電ランプ。
【請求項９】
Ｈ形の放電管支持体（５）の板（４）が口金（１２）側の面に、リード（７）を取付け板（１５）上の安定器装置（１６）の電気的接続部に電気的に接続するための接触片用のホルダ（８）を有することを特徴とする請求項１記載のコンパクト形低圧放電ランプ。
【請求項１０】
Ｈ形の放電管支持体（５）の板（４）が放電管（３）の端部を収容するための穴の周りで板（４）の口金（１２）側の面に保持縁部（６）を有することを特徴とする請求項６記載のコンパクト形低圧放電ランプ。
【請求項１１】
Ｈ形の放電管支持体（５）の板（４）が放電管（３）の端部を収容するための半殻状窪みの周りで板（４）のカバー部材側の面に保持縁部（６）を有することを特徴とする請求項７記載のコンパクト形低圧放電ランプ。
【請求項１２】
カバー部材がプラスチックから構成されていることを特徴とする請求項１記載のコンパクト形低圧放電ランプ。
【請求項１３】
外管の形のカバー部材がプラスチック頸部を有するガラス球から構成されていることを特徴とする請求項１又は２記載のコンパクト形低圧放電ランプ。
【請求項１４】
口金ケース（１３）がその外被面の内側に少なくとも部分的に周回する溝（１９）を有し、この溝（１９）内に、Ｈ形の放電管支持体（５）に口金ケース（１３）を固定するために、板（４）の口金ケース（１３）側のカラー（１８）に形成されたフック部（１７）が食い込んでいることを特徴とする請求項１記載のコンパクト形低圧放電ランプ。
【請求項１５】
板（４）のカバー部材側及び／又は口金ケース（１３）側のカラー（９，１８）に形成されたフック部（１０，１７）が板（４）まで達する幅狭いスリット（２０）によって複数のセグメントに分割されていることを特徴とする請求項１又は１４記載のコンパクト形低圧放電ランプ。
【請求項１６】
板（４）のカバー部材側及び／又は口金ケース側のカラー（９，１８）に形成されたフック部（１０，１７）が１〜３０ｍｍの幅を有することを特徴とする請求項１又は１４記載のコンパクト形低圧放電ランプ。
【請求項１７】
板（４）のカバー部材側および口金ケース（１３）側のカラー（９，１８）に形成されたフック部（１０，１７）が板（４）の周囲に沿って互いにずらされ、それによりランプ軸線に垂直な平面へのフック部（１０，１７）の投射が重ならないことを特徴とする請求項１又は１４記載のコンパクト形低圧放電ランプ。
【請求項１８】
板（４）のカバー部材側及び／又は口金ケース（１３）側のカラー（９，１８）がそれぞれ２〜８個のフック部（１０）を有することを特徴とする請求項１又は１４記載のコンパクト形低圧放電ランプ。
【請求項１９】
Ｈ形の放電管支持体（５）の両カラー（９，１８）がＨ形の放電管支持体（５）の対称軸線に対して平行に、周囲に分配された複数の幅広いスリット（２１）を有し、この幅広いスリット（２１）が板（４）まで達し、この幅広いスリット（２１）内に、ランプが組立てられた際にカバー部材及び／又は口金ケースの内側外被面に設けられたリブ（２２）が食い込むことを特徴とする請求項１記載のコンパクト形低圧放電ランプ。
【請求項２０】
Ｈ形の放電管支持体（５）がプラスチックから構成されていることを特徴とする請求項１記載のコンパクト形低圧放電ランプ。
【発明の詳細な説明】
【０００１】
【発明の属する技術分野】
本発明は、電極およびリードを有する放電管と、この放電管が固定された放電管支持体と、ケース、接続接触片、および安定器装置を有する取付け板から構成された口金とを備え、安定器装置を有する取付け板が、口金ケースの内部に取付けられ、取付け板をリードおよび接続接触片に電気的に接続するための接続部を有するコンパクト形低圧放電ランプに関する。
【０００２】
【従来の技術】
このコンパクト形低圧放電ランプはさらに反射器または外管を備えることができる。高電力の場合、放電管は１つ又は複数の管部材から構成されて数回折曲げられた１つの管から成り、この管はプラスチック又は金属から成る費用のかかる支持体部材によってケース内に保持される（例えば、特許文献１参照。）。
【０００３】
放電管のための費用のかかる支持体部材は、一方では低圧放電ランプの寸法を相応に大きくし、他方ではランプの手作業組立てを必要とする。従って、このようなコンパクト形低圧放電ランプの製造コストは比較的高くなる。
【０００４】
【特許文献１】
欧州特許第００４４１９６号明細書
【０００５】
【発明が解決しようとする課題】
本発明の課題は、コンパクトな構成を有しそれゆえコスト的に有利に製造できる冒頭で述べた種類のコンパクト形低圧放電ランプを提供することにある。
【０００６】
【課題を解決するための手段】
この課題は、本発明によるコンパクト形低圧放電ランプによれば、電極およびリードを有する放電管と、この放電管が固定された放電管支持体と、ケース、接続接触片、および安定器装置を有する取付け板から構成された口金とを備え、安定器装置を有する取付け板が、口金ケースの内部に取付けられ、取付け板をリードおよび接続接触片に電気的に接続するための接続部を有し、
放電管支持体がほぼＨ形断面を有し、板とこの板の縁部において板の両面側へ延びるカラーとから構成され、
Ｈ形の放電管支持体にカバー部材が固定され、このカバー部材がその外被面の内側に少なくとも部分的に周回する溝を有し、この溝内に、Ｈ形の放電管支持体にカバー部材を固定するために、板のカバー部材側のカラーに形成されたフック部が食い込み、
Ｈ形の放電管支持体に口金のケースが固定されていることによって解決される。
【０００７】
カバー部材は放電管に対する外管として又は反射器として構成できる。外管または反射器を持っていないコンパクト形低圧放電ランプを形成するためには、このカバー部材は口金ケースに対する閉鎖キャップとしても形成できる。
【０００８】
円筒状の口金ケースの場合、Ｈ形の放電管支持体の板が円形に形成されていると有利である。
【０００９】
Ｈ形の放電管支持体の板が放電管の端部を収容するために２つの穴または半殻状窪みを有する場合、放電管の固定部が簡単に形成される。放電管の端部は欧州特許第１１０５９０６号明細書に記載されているような高温封着法によってまたは従来のように口金セメントもしくは接着材によって板に固定される。２つの事例において、板が穴または半殻状窪みの周りに口金セメントまたは接着材を収容するための保持縁部を有し、この保持縁部が、穴の場合には板の口金側の面に取付けられ、半殻状窪みの場合には板のカバー部材側の面に取付けられていると有利である。
【００１０】
Ｈ形の放電管支持体への放電管の固定は、放電管の一部（例えば湾曲部）が入れられる凹部によっても行われ得る。この種の固定は付加的に、特に放電管が長くしかも数回折曲げられている場合、放電管の両端を固定するにも有効である。
【００１１】
Ｈ形の放電管支持体の板が口金側の面に、リードを取付け板上の安定器装置の電気的接続部に電気的に接続するための接触片用のホルダを有すると有利である。電気的接続の一例は欧州特許第０８５４４９７号明細書に開示されており、この欧州特許明細書においては、閉鎖キャップにおける収容部内に保持されているバネ要素によって、放電管のリードと取付け板上の安定器装置の電気的接続部とのコスト的に有利な電気的接続が行われている。
【００１２】
Ｈ形の放電管支持体にカバー部材を簡単に取付けるために、このカバー部材がその外被面の内側に少なくとも部分的に周回する溝を有し、この溝内に、板のカバー部材側のカラーに形成されたフック部が食い込む。
【００１３】
Ｈ形の放電管支持体に口金を固定するために、口金ケースがその外被面の内側に少なくとも部分的に周回する溝を有し、この溝内に、板の口金ケース側のカラーに形成されたフック部が同様に食い込む。
【００１４】
各カラーが２〜８個のフック部を有すると有利である。フック部は口金ケースの直径に応じて１〜３０ｍｍの幅を有し、両カラーに関して板の周囲に沿って互いにずらされ、それによりランプ軸線に垂直な平面へのフック部の投射が重ならないようにされている。
【００１５】
カバー部材側及び／又は口金ケース側のカラーには１つ又は複数の幅広いスリットが加工され、このスリット内に、カバー部材及び／又は口金ケースにリブの形に形成されている対向部材が喰い込み、それによってカバー部材及び／又は口金ケースのねじり回しを防止している。これによって、ランプ軸線の周りに回転モーメントが作用してもフック部に作用する力は発生せず、それによりフック部は引張力のみを吸収すればよくなる。それによって、フック部の破損もしくは結合の解除が回避される。
【００１６】
両カラーのフック部はさらに板まで達する幅狭いスリットによって複数のセグメントに分割されている。このセグメント化によって嵌合力が減少する。セグメントの個数および幅は、上述したねじり回し防止の利用の下に関係した規格において必要とされた強度値が守られ、嵌合力が手作業組立ての際にも簡単に取扱える範囲内にあるように互いに決められる。
【００１７】
板に付加的に保持工具を入れるための穴が設けられる。これによって、放電管を備えた支持体板と、外管、反射器または閉鎖キャップとして形成されたカバー部材および口金との全自動組立てが可能になる。
【００１８】
Ｈ形の放電管支持体がプラスチックから構成され、その材料が透明であると有利である。
【００１９】
カバー部材がプラスチックから構成されると有利であり、このカバー部材を外管として形成する場合このカバー部材はプラスチック縁部を有するガラス球から構成され得る。
【００２０】
カバー部材を外管、反射器または閉鎖キャップとして選択的に構成することは製造上、外管を持たないコンパクト形低圧放電ランプを、外管または反射器を備えた同一形式のランプへ簡単に変更することを可能にする。純粋な差込み結合又は係止結合によって、ランプの非常に簡単かつ全自動的な組立てが可能になる。
【００２１】
【発明の実施の形態】
本発明のその他の細部、特徴、構成および利点は図面に示された本発明の実施例の以下における説明から明らかになる。
図１は外管を備えた本発明による低圧放電ランプの部分的に断面で示された概略側面図を示す。
図２は反射器を備えた本発明による低圧放電ランプの部分的に断面で示された概略側面図を示す。
図３は閉鎖キャップを備えた本発明による低圧放電ランプの部分的に断面で示された概略側面図を示す。
【００２２】
図１には、外管２として構成されたプラスチック製カバー部材を備えた本発明によるコンパクト形低圧放電ランプ１の側面断面図が示されている。ランプ１は、アマルガムを封入され複数回折曲げられた放電管３を有している。放電管３の端部はプラスチックから成るＨ形の放電管支持体５の円形板４にある穴内に差込まれ、口金セメント（図示されていない）によって穴の周りの隆起状保持縁部６内に固定されている。リード７を介して、放電管３の端部内に封着されている電極は、Ｈ形の放電管支持体５にホルダ８によって固定された接触片に接続されている。
【００２３】
Ｈ形の放電管支持体５はその板４の縁部に、外管２の方向へ延びているカラー９を有し、このカラー９はフック部１０を備えている。フック部１０は外管２の内壁において少なくとも部分的に周回している溝１１内に食い込んでいる。これによって、Ｈ形の放電管支持体５と外管２との間に素人では分解できない結合が構成される。カラー９に形成された４個のフック部１０が外管２の頸部範囲に形成された溝１１内に食い込むことによって、外管２と放電管支持体５との間のねじり回しが防止される。このねじり回し防止によって、回転モーメントが作用しても機械的結合を保証するフック部１０に作用する力は発生せず、フック部１０が損傷から保護される。溝１１とフック部１０とは９０°対称に配置されている。それによって、外管２を装着した後に９０°回転させると両部分が嵌合位置にもたらされ、引続いて嵌合力によって互いに結合される。これは組立て時の利点となる。
【００２４】
低圧放電ランプ１は、ケース１３と概略的に示された接続接触片１４とを備えほぼ円筒状に形成された口金１２を有している。ケース１３の内部にはランプ軸線に対して垂直に取付け板１５が設けられ、この取付け板１５はプリント板として形成されている。このプリント板の放電管３側の面には導体路が形成され、放電管３とは反対側の面には安定器装置１６の回路素子（図示されていない）が固定されている。
【００２５】
口金１２のケース１３は放電管支持体５に、板４の口金１２側の面に形成されている別の管状カラー１８の素人では同様に分解できないフック部１７を介して結合されている。このフック部１７はケース１３の外被面の内壁において少なくとも部分的に周回している環状溝１９内に食い込んでいる。２つのカラー９，１８はＨ形の放電管支持体５の対称軸線に対して平行に、周囲に沿って分配され板４まで達する複数の幅狭いスリット２０と、幅広いスリット２１とを有し、この幅広いスリット２１内には外管２の頸部と口金ケース１３との内側外被面にあるリブ２２が食い込んでいる。幅狭いスリット２０はフック部をセグメント化し、嵌合力を減少もしくは調整するのに役立つ。幅広いスリット２１はリブと結合して、口金１２と放電管支持体５との間のねじり回しを防止しかつ取付け板１５の上面にある接触片へホルダ８内の接触要素を正しく位置合わせするのに役立つ。
【００２６】
放電管支持体５の本発明による構成において、カラー９，１８に形成されたフック部１０，１７は、ランプ軸線に垂直な平面へのそれらの投影が重なりを持たないように実現される。これは、放電管支持体５を射出成形するためにスライダを持たない工具を使用できるという利点を有する。
【００２７】
図２は反射器２３を備えた本発明による低圧放電ランプを示す。この実施例において、カバー部材は外管としてではなく、反射器２３として構成されている。その他の構成部品およびこれらの部品との結合方式は外管を有する図１に示された低圧放電ランプに一致している。
【００２８】
図３には閉鎖キャップ２４を備えた本発明による低圧放電ランプが示されている。カバー部材はこの場合には閉鎖キャップ２４として構成されている。その他の全ての部品及び結合は図１，２と同じである。
【図面の簡単な説明】
【図１】本発明による低圧放電ランプの一実施例を示す概略側面図
【図２】本発明による低圧放電ランプの他の実施例を示す概略側面図
【図３】本発明による低圧放電ランプの別の実施例を示す概略側面図
【符号の説明】
１        コンパクト形低圧放電ランプ
２        外管
３        放電管
４        円形板
５        Ｈ形の放電管支持体
６        保持縁部
７        リード
８        ホルダ
９        カラー
１０        フック部
１１        溝
１２        口金
１３        ケース
１４        接続接触片
１５        取付け板
１７        フック部
１８        管状カラー
１９        環状溝
２０        幅狭いスリット
２１        幅広いスリット
２２        リブ
２３        反射器
２４        閉鎖キャップ
【図１】
0004220771.tif 000002
【図２】
0004220771.tif 000003
【図３】
0004220771.tif 000004